(57)【要約】【課題】カメラの向きを変える毎に利用者が表示画面に表示される被写体の大きさを調整しなければならない煩わしさを解消するカメラ機能付き電子機器を提供することを目的とする。【解決手段】筐体に対してほぼ１８０°以上回動可能で、撮像画角が少なくとも複数段階に設定可能なカメラ２０と、このカメラ２０により撮像された映像を表示する表示部１２（１４）と、このカメラ２０の回動位置に応じて撮像画角の初期設定を変化させる画角設定手段１１０，１１５，１５０，１５１，１５２とを備えるようにしたものである。【選択図】  図４
2004274405.tif 000002
【特許請求の範囲】
【請求項１】
筐体に対して回動可能で、撮像画角が少なくとも複数段階に設定可能なカメラと、
前記カメラにより撮像された映像を表示する表示部と、
前記カメラの回動位置に応じて撮像画角の初期設定を変化させる画角設定手段と
を備えることを特徴とするカメラ機能付き電子機器。
【請求項２】
請求項１記載のカメラ機能付き電子機器において、
前記画角設定手段として、
前記カメラの回動位置を検出するカメラ位置検出手段と、
カメラ位置と対応して設定され、前記撮像画角を決定するズーム倍率値を記憶する記憶手段と、
前記カメラの回動位置に応じて前記記憶手段に記憶されたズーム倍率値を読み出してズーム倍率の切り替えを行う制御手段と
を備えることを特徴とするカメラ機能付き電子機器。
【請求項３】
請求項２記載のカメラ機能付き電子機器において、
前記制御手段は、前記カメラのレンズと前記カメラにより撮像された映像を表示する表示部がほぼ同方向を向いている場合の撮像画角が、前記レンズと前記表示部がほぼ反対方向を向いている場合の撮像画角よりも、広角になるようにズーム倍率を切り替えるようにした
ことを特徴とするカメラ機能付き電子機器。
【請求項４】
請求項１記載のカメラ機能付き電子機器において、
前記表示部に前記カメラのズーム倍率情報を表示するようにした
ことを特徴とするカメラ機能付き電子機器
【請求項５】
請求項１記載のカメラ機能付き電子機器において、
前記画角設定手段として、
前記カメラが所定の回動位置のときに、カメラのレンズに前面に配置されて、カメラの撮像画角を変化させる補助レンズで構成した
ことを特徴とするカメラ機能付き電子機器。
【発明の詳細な説明】
【０００１】
【発明の属する技術分野】
本発明は、回動機構を有するカメラを備えたカメラ機能付き電子機器に関し、特に携帯電話機に適用して好適なカメラ機能付き電子機器に関する。
【０００２】
【従来の技術】
従来、回動自在なカメラを備えたカメラ機能付き電子機器として、例えば携帯電話機が各種開発されている。カメラ付きの携帯電話機においては、カメラを自由に回転させることができるものがある。このようなカメラ付き携帯電話機の場合には、携帯電話機を片手に持って表示部に表示される映像を確認しながら利用者自身などを撮影する自分撮り（カメラのレンズと表示部がともに同じ方向を向いている状態での撮影）と相手撮り（カメラのレンズが表示部とは反対方向を向いている状態での撮影）をカメラを回転させることで楽しむことができる。また、この種の携帯電話機に内蔵されるカメラとして、ズーム機能を備えて所望の画角の撮影を行なえるようにしたものも開発されている。ズーム機能を使って画角の調整を行なう際には、例えば携帯電話機に設けられた所定のキーを操作して、表示部に表示される映像を所望の画角になるようにしていた（例えば、特許文献１参照。）。
【０００３】
【特許文献１】
特開２００２−９４６２９号公報
【０００４】
【発明が解決しようとする課題】
しかしながら、例えば自分撮りの状態からカメラを回転させ相手撮りの状態へ変更した場合、一般に自分撮りのときよりも被写体が遠くにあるので表示画面に占める被写体が小さく写り、利用者は所定のキーを操作してズーム倍率を調整し拡大表示する作業が必要であった。あるいは、被写体に近づいて表示画面に表示される写りの大きさの調整をする等の作業が必要であった。一方、カメラを回転させて相手撮りの状態から自分撮りの状態へと変更した場合、表示画面に被写体が大きく写り過ぎることがあり、同様に利用者はキーを操作してズーム倍率の調整を行なったり、あるいは被写体とカメラとの距離を調整するなどの作業が必要であった。
【０００５】
斯かる点に鑑み、本発明はカメラの向きを変える毎に利用者が表示画面に表示される被写体の大きさを調整しなければならない煩わしさを解消するカメラ機能付き電子機器を提供するものである。
【０００６】
【課題を解決するための手段】
本発明カメラ機能付き電子機器は、筐体に対して回動可能で、撮像画角が少なくとも複数段階に設定可能なカメラと、このカメラにより撮像された映像を表示する表示部と、このカメラの回動位置に応じて撮像画角の初期設定を変化させる画角設定手段とを備えるようにしたものである。
【０００７】
斯かる本発明によれば、カメラの回動位置に応じてカメラの撮像画角の初期設定を変化させることができるので、カメラの向きを変える毎に利用者が表示画面に表示される被写体の大きさを調整しなければならない煩わしさを解消することができる。
【０００８】
【発明の実施の形態】
以下、添付図面を参照して、本発明カメラ機能付き電子機器の一実施の形態の例につき、持ち運び可能ないわゆる携帯電話機に適用した場合について説明する。
【０００９】
図１および図２は本例の携帯電話機の外観斜視図である。本例においては、いわゆる折畳み型携帯電話機に適用した例としてあり、図１は下側筐体と上側筐体が全開の状態、図２は下側筐体と上側筐体が半開の状態を表している。
【００１０】
図１において、１は下側筐体、１１は上側筐体であり、この下側筐体１と上側筐体１１はヒンジ部１０により開閉自在に接続され、この下側筐体１の内側（閉じた状態のとき上側筐体１１と接する面）には、操作ボタン群２、回転式操作部のいわゆるジョグダイアル３、マイクロホン４が設けられている。
【００１１】
上側筐体１１の内側には、この折畳み型携帯電話機を開いた状態において主に使用される例えばＬＣＤ（Ｌｉｑｕｉｄ  Ｃｒｙｓｔａｌ  Ｄｉｓｐｌａｙ）からなる表示画面（以下、メイン画面と称する。）１２、スピーカ１３が設けられている。さらに、ヒンジ部１０の中間部にＣＣＤ（Ｃｈａｒｇｅ  Ｃｏｕｐｌｅｄ  Ｄｅｖｉｃｅ）型  やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型等の撮像素子を格納し、下側筐体１および上側筐体１１の開閉動作と独立してほぼ１８０°回動可能なカメラ２０が設けられている。２１はカメラ２０のレンズである。
【００１２】
本例の場合には、レンズ２１として、複数段階に撮像画角の調整が可能なズームレンズを使用してある。例えば、このズームレンズを使いズーム倍率を小さくすると撮像画角を広くでき、また、ズーム倍率を大きくすると撮像画角が狭くなり遠くのものを大きく写すことができる。
【００１３】
また、図２に示すように、上側筐体１１の外側には折畳み型携帯電話機を閉じた状態において主に使用される例えばＬＣＤからなる表示画面（以下、サブ画面と称する。）１４、カメラ２０のシャッターボタン１５が配置されている。また、図示しないが無線信号を送信および受信するためのアンテナを備える。
【００１４】
図３は、本例の携帯電話機の回路構成の例を示すブロック線図である。
【００１５】
１１０はシステム全体の制御を行う制御部、１０７は各種情報を格納したり制御部１１０が制御を行うのに必要な作業領域を提供する汎用ＲＡＭ、１０８は各種制御プログラム等を格納したＲＯＭである。この制御部１１０は、演算・制御用のＣＰＵ（Ｃｅｎｔｒａｌ  Ｐｒｏｃｅｓｓｉｎｇ  Ｕｎｉｔ）１１１を備え、図示しないシステムバスを通じてＲＡＭ１０７、ＲＯＭ１０８および各種周辺デバイスと接続するための外部インターフェース１１２と接続されており、例えば操作部２，３，１５を操作すると、その操作出力が外部インターフェース１１２およびシステムバスを介してＣＰＵ１１１に供給され、ＣＰＵ１１１によりＲＯＭ１０８のプログラムにしたがって所定の処理が行われる。
【００１６】
１０１は無線信号を送信および受信するアンテナであり受信信号および送信信号を１つのアンテナで共用するアンテナ共用器１０２と接続され、制御部１１０からの送信信号は変調器１０３、アンテナ共用器１０２を介してアンテナ１０１より送信され、アンテナ１０１より受信した受信信号はアンテナ共用器１０２、復調器１０４を介して制御部１１０に供給される。
【００１７】
基地局から電話の呼び出しや電子メールをアンテナ１０１を介して復調器１０４が受信すると、制御部１１０に供給され、制御部１１０はスピーカ１３からの音声で電話の呼び出しや電子メールの受信を利用者に知らせたり、操作ボタン群２の背面に設けられたＬＥＤ１０５による点滅表示により知らせたり、またバイブレータ１０６によって体感振動で知らせるようにしている。またこのとき、制御部１１０は図示しないディスプレイコントローラを介して表示装置１２または１４の画面上に相手の電話番号や電子メール送信者のアドレスを表示するようにしている。
【００１８】
呼び出しに応じて利用者が電話に出ると、相手の音声信号がアンテナ１０１を介して復調器１０４にて受信され、制御部１１０を介してスピーカ１３に供給され、また、マイクロホン４からの自分の音声信号が制御部１１０より変調器１０３を介してアンテナ１０１に供給されて基地局へ送信される。こうして相手との通話が行われる。また、受信した電子メールを開封するとメールの内容を表示装置１２または１４の画面上に表示する。
【００１９】
カメラ２０はレンズ２１を通して所望の画角設定で被写体の映像を取り込み、取り込んだ映像を制御部１１０を介して表示装置１２または１４に表示し、操作ボタン群２などに設けられたシャッターボタンを押して所望の静止画や動画を撮影することができる。
【００２０】
次に、本例の携帯電話機のカメラ２０の周辺の構成について詳細に説明する。図４Ａおよび図４Ｂは撮像画角を設定するための回路構成を示し、Ａは自分撮り、Ｂは相手撮りの場合を示す。
【００２１】
図４において、磁石１５０およびセンサ１５１，１５２はカメラ２０の回動位置、即ちレンズ２１の向きを検出するカメラ位置検出手段であり、例えばカメラ２０の筐体所定位置に磁石１５０を設けるとともに、センサ１５１，１５２を携帯電話機本体に例えばカメラ２０を挟んで対向するように設ける。センサ１５１，１５２は例えば磁気センサとして一般に用いられるホール素子を用いている。メモリ１１５はフラッシュメモリ等の不揮発性メモリからなり、カメラ位置に対応させて設定されるズーム倍率値が保存される記憶手段である。
【００２２】
図４Ａに示すように、例えば磁石１５０とセンサ１５１が近接すると、センサ１５１は磁石１５０が近接しているのを検知してこの検出信号を制御部１１０に送信する。図３にも示すように制御部１１０はＣＰＵ１１１および外部インターフェース１１２を有し、センサ１５１または１５２からの検出信号とともにカメラ２０よりの映像信号が供給され、センサ１５１からの検出信号を受けると、カメラ２０の回動位置を例えば自分撮りの位置であると判断し、メモリ１１５に自分撮りに適した撮像画角として設定され保存されているズーム倍率値を読み出し、カメラ２０よりの映像情報を例えば通常倍率でメイン画面１２またはサブ画面１４に表示するようにする。このときズーム倍率情報として、例えば通常倍率で表示されている旨の情報を表示画面上の被写体を表示するのに妨げとならない位置に表示する。
【００２３】
図４Ｂは、レンズ２１を図４Ａの状態から例えば１８０°回転させた場合を示すものである。センサ１５２は磁石１５０が近接したことを検出し制御部１１０に検出信号を送信する。制御部１１０はセンサ１５２からの検出信号を受信し、カメラ２０の回動位置を例えば相手撮りの位置であると判断し、メモリ１１５に相手撮りに適した撮像画角として設定され保存されているズーム倍率値を読み出し、カメラ２０よりの映像情報を例えば２倍ズームでメイン画面１２またはサブ画面１４に表示するようにする。その他は図４Ａと同様である。このときズーム倍率情報として、例えば２倍ズームで表示されている旨の情報を表示画面上の被写体を表示するのに妨げとならない位置に表示する。
【００２４】
尚、このカメラ位置検出手段は上述例の磁石とホール素子の組み合わせのような非接触式だけでなく、接触式のセンサであってもよい。また、センサ１５１および１５２はどちらかひとつだけを使用してカメラ位置を判断するようにしてもよい。
【００２５】
また、以上述べたような検出されたカメラ位置に応じてカメラの撮像画角の初期設定を決定しズーム倍率を自動的に切り替える機能（以下、オート・スナップ・モードと称する。）の選択およびカメラ回動位置に合わせたズーム倍率値を、利用者が表示画面上の設定メニュー等で任意に設定できるようにしておくとよい。
【００２６】
次に、本例の携帯電話機に内蔵されたカメラ２０を使用して撮影する際の動作を、図５のフローチャートを参照して説明する。図５は、制御部１１０がカメラ２０の回動位置に応じてカメラの撮像画角を切り替える処理のフローチャートを示すものである。まず、オート・スナップ・モードが設定されているかどうかを判断する（ステップＳ１）。オート・スナップ・モードが設定されている場合、センサ１５１または１５２よりカメラ２０の回動位置センサ値を読み出す（ステップＳ２）。尚、オート・スナップ・モードが設定されていない場合には、ステップＳ７へ進み、利用者が所定のキーを操作して手動によるズーム調整を行なう。
【００２７】
上述センサ値よりカメラ位置が相手撮りの位置であるか否かを判断し（ステップＳ３）、相手撮りである場合には、予めカメラ位置に対応させて設定されメモリ１１５に保存されているズーム倍率値に基きカメラ２０のズーム倍率を変更し、表示装置の画面表示を所定のズーム倍率、例えば２倍ズームとするとともに２倍ズームで表示している旨の表示をする（ステップＳ４）。
【００２８】
カメラ位置が相手撮りではない場合、自分撮りであるか否かを判断し（ステップＳ５）、自分撮りであると判断した場合には、予めメモリ１１５に保存しておいたズーム倍率値に基きカメラのズーム倍率を例えば通常倍率として、表示装置の画面表示を通常倍率とするとともに通常倍率で表示している旨の表示をする（ステップＳ６）。
【００２９】
ステップＳ５において、カメラ位置が自分撮りでない場合、例えばカメラ位置が相手撮りの位置でも自分撮りの位置でもない中間位置にあるときは、ステップＳ７へ進む。
【００３０】
制御部１１０は、上述したステップＳ４およびステップＳ６の処理後、利用者が手動によるズーム倍率の変更を必要としているかどうかを判断し（ステップＳ７）、利用者からのズーム倍率調整要求がない、即ちコマンド入力がない場合にはズーム倍率の切り替え処理を終了する。表示画面にはカメラ位置に対応して設定されたズーム倍率での表示が行われるとともに被写体をこのズーム倍率で撮像することができる。
【００３１】
利用者がカメラ２０のズーム倍率の変更を必要とし所定キーを操作して手動によるズーム倍率調整操作を行ったときは、制御部１１０は利用者からの操作信号に応じてカメラのズーム倍率及び画面表示倍率の変更を行うよう指示する（ステップＳ８）。そして、利用者により調整されたズーム倍率で被写体を撮像するとともに表示画面に表示するようにする。
【００３２】
図６、図７にそれぞれ本例の回動機構を有するカメラの一例の模式図を示す。図中２０ａはカメラ２０の回動中心となる回動軸であり、携帯電話機本体のヒンジ部と独立して設けられる軸受け部（図示せず）と係合摺動して回動する如くなされている。尚、このカメラ２０の回動機構はこの例に限るものではなく、周知技術を用いて種々の構成が考えられる。
【００３３】
図６Ａはカメラ２０のレンズ２１が紙面手前方向を向いている状態（例えば、自分撮りとする。）を表し、図６Ｂは図６Ａの状態からカメラ２０を回動軸２０ａを中心に約１８０°回転させて点線で示すようにレンズ２１を紙面奥行き方向に向けた状態（例えば、相手撮りとする。）を表す。上述にもしたように、本例はカメラを回動させたときのカメラ位置を検出し、検出された位置に応じて自分撮りか相手撮りかを判断し自動的にズーム倍率の切り替えを行なうものである。
【００３４】
図８Ａ，Ｂに本例の折畳み型携帯電話機の全開状態の側面図を示す。図８Ａは上側筐体１１と下側筐体１を開いた状態において、カメラ２０により撮影された映像を表示するメイン画面１２とレンズ２１とがほぼ同じ方向（矢印右方向）を向いている自分撮りの状態を表す。また、図８Ｂは上側筐体１１と下側筐体１を開いた状態において、メイン画面１２とレンズ２１（矢印左方向）とがほぼ反対方向を向いている相手撮りの状態を表す。図８Ａの自分撮りおよび図８Ｂの相手撮りの撮影モードは撮影対象とする被写体に合わせ、利用者がカメラ２０をほぼ１８０°回転させることにより、適宜切り替えることができる。
【００３５】
例えば、オート・スナップ・モードを設定されている場合に、カメラ２０を図６Ａの状態からほぼ１８０°回動させ図６Ｂの状態、即ち図８Ａの自分撮りの状態から図８Ｂの相手撮りの状態へと変更すると、図４Ａ，Ｂに示す画角設定手段によりカメラ位置を検出し撮影モードを判断して、予め各撮影モードに応じて設定されたズーム倍率値に従ってカメラ２０の初期設定ズーム倍率が例えば通常倍率（１倍）に設定されていたところ、カメラが反転して相手撮りの位置になったことを検出して自動的に相手撮り用のズーム倍率、この例では２倍ズームに切り替えられる。このとき、メイン画面１２には２倍ズームにより撮影されている旨の表示に変更され、利用者はズーム倍率値が切り替わったことを認識することができる。
【００３６】
このように、撮影対象とする被写体に応じてカメラ２０を回転させ、カメラ位置に応じて予め設定されたズーム倍率値に従って、例えばこの例では自分撮り撮影時には相手撮り撮影時よりも自動的に撮像画角が広角になるようにズーム倍率を切り替えることができる。
【００３７】
そして、利用者はメイン画面１２に表示された映像を確認しながら、所定のシャッターボタンを押して所望の映像を携帯電話機本体に内蔵された不揮発性のメモリ１１５や図示しないリムーバブルな記録媒体に取り込み保存することができる。
【００３８】
一方、図７Ａは点線で示すカメラ２０のレンズ２１が紙面奥行き方向を向いている状態（例えば、相手撮りとする。）を表し、図７Ｂは図７Ａの状態からカメラ２０を約１８０°回転させてレンズ２１を紙面手前方向に向けた状態（例えば、自分撮りとする。）を表し、相手撮りから自分撮りの状態としたものである。
【００３９】
カメラ２０を図７Ａの状態からほぼ１８０°回動させ図７Ｂの状態、即ち図８Ｂの相手撮りの状態から図８Ａの自分撮りの状態へと変更すると、図４Ａ，Ｂに示す画角設定手段によりカメラ位置を検出し撮影モードを判断して、予め各撮影モードに応じて設定されたズーム倍率値に従ってカメラ２０の初期設定ズーム倍率が例えば２倍ズームに設定されていたところ、カメラが反転して自分撮りの位置になったことを検出して自動的に自分撮り用のズーム倍率、この例では通常倍率（１倍）に切り替えられる。このとき、メイン画面１２には通常倍率により撮影されている旨の表示に変更され、利用者はズーム倍率値が切り替わったことを認識することができる。以下、図６例と同様の作用効果が得られる。その他、図６例と同様の作用効果が得られる。
【００４０】
また、カメラ２０のズーム倍率の初期設定は自動的に行なわせ、その後で利用者が好みにより段階的にズーム倍率の調整をしたいという場合は、まずオート・スナップ・モードを設定しておき、カメラの回動位置に応じて自動的に所定のズーム倍率への切り替えがなされた後に所定キーの操作によりズーム倍率の調整をするとよい。またさらに、最初から手動によりカメラ２０のズーム倍率を調整したい利用者は、設定メニュー画面等でオート・スナップ・モードの設定を解除しておけばよい。
【００４１】
尚、携帯電話機の中には、図２に示すように折畳み型携帯電話機においてメイン画面１２の反対側の面に搭載されたサブ画面１４にカメラ２０にて撮像された映像を表示することができ、折畳んだ状態で被写体の撮影ができる機種があるが、本発明はこのような機種にも対応することができる。
【００４２】
図９に本例の折畳み型携帯電話機の下側筐体１および上側筐体１１をヒンジ部を回転軸として閉じた状態の側面図を示す。図９Ａは携帯電話機の上側筐体１１と下側筐体１を閉じた状態においてメイン画面１２の裏側に配置されたサブ画面１４とレンズ２１とが同じ方向（矢印右方向）を向いている自分撮りの状態を示し、サブ画面１４に表示される映像を確認してシャッターボタン１５を押し被写体を撮影することができる。一方、図９Ｂは図９Ａの状態からカメラ２０をほぼ１８０°回転させてレンズ２１の向きをサブ画面１４とレンズ２１（矢印左方向）とがほぼ反対方向を向くようにした相手撮りの状態を示すものである。
【００４３】
この図９例において、撮影モードは撮影対象とする被写体に合わせ利用者がカメラ２０をほぼ１８０°回転させて図９Ａの自分撮りおよび図９Ｂの相手撮りの状態を切り替えることができ、切り替えられたカメラ２０の回動位置に応じて、カメラ２０のズーム倍率の切り替えが自動的に行なわれる。尚、カメラ２０を使用しないときは、レンズ２１を筐体側に収納（図面下方向に向ける）してレンズ２１を保護することができる。
【００４４】
本例によれば、以上のように構成したので、カメラ２０の回動位置を検出し、この検出されたカメラ位置に応じて撮影モードが判断され自動的にズーム倍率が切り替えられるので、カメラの回動位置に応じてカメラの撮像画角の初期設定を変化させることができ、従来カメラの向きを変える毎に利用者が表示画面に写る被写体の大きさを調整していた煩わしさを解消することができる。
【００４５】
また、表示画面にズーム倍率情報表示を行うことにより、カメラの回転によって自動的にズーム倍率が切り替わってしまったときでも、表示画面に表示されたズーム倍率情報からズーム倍率が切り替わったことおよび変更後のズーム倍率値を容易に把握することができる。その他、図８例と同様の作用効果が得られる。
【００４６】
図１０Ａ，Ｂは本発明カメラ機能付き電子機器の他の実施の形態の例の正面図を示すものである。図１例のカメラ２０を折畳み型携帯電話の上側筐体２１１の先端部に配置するようにしたものであり、その他は図１と同様の構成である。それぞれ図１０Ａはカメラ２０のレンズ２１が紙面手前方向を向きメイン画面１２と同方向の自分撮りの状態、図１０Ｂはカメラ２０のレンズ２１が紙面奥行き方向を向きメイン画面１２と逆方向の相手撮り状態の正面図である。
【００４７】
この図１０例のように携帯電話機の上端部にカメラ２０を設けた場合も、カメラ２０のレンズ２１を図１０Ａの自分側に向ける自分撮りと図１０Ｂのレンズ２１を回転させて相手側に向ける相手撮りとで、カメラ２０のズーム倍率を自動的に切り替え適切な大きさの被写体をメイン画面１２に表示させることができ、図１例と同様の作用効果を得ることができる。
【００４８】
尚、本例は上端部にカメラ２０が設けられた折畳み型携帯電話機について説明したが、折畳み型ではないスティックタイプの携帯電話機にも本発明を適用することができる。
【００４９】
さらに、本発明カメラ機能付き電子機器の他の実施の形態の例として、携帯電話機においてカメラのレンズと近接して携帯電話機筐体に画角設定手段として補助レンズを設けるようにしたものについて説明する。図１１Ａ，Ｂは本例の折畳み型携帯電話機の下側筐体３０１および上側筐体３１１をヒンジ部を回転軸として閉じた状態の側面図を示すものであり、この図１１の構成について図９に対応する部分には同一符号を付す。
【００５０】
図１１Ａは携帯電話機の上側筐体３１１と下側筐体３０１を閉じた状態においてメイン画面１２の裏側に配置されたサブ画面１４とレンズ２１とが同じ方向（矢印右方向）を向いている自分撮りの状態を示し、サブ画面１４に表示される映像を確認してシャッターボタン１５を押し被写体を撮影することができる。一方、図１１Ｂは図１１Ａの状態からカメラ２０をほぼ１８０°回転させてサブ画面１４とレンズ２１の向き（矢印左方向）とがほぼ反対方向を向くようにした相手撮りの状態を示す。
【００５１】
例えば図１１Ｂの自分撮り状態のときに、補助レンズこの例では広角レンズ２２を例えば上側筐体３１１のヒンジ部近傍にカメラ２０のレンズ２１との入射光軸が一致するようにレンズ２１の前面に近接して設置する。
【００５２】
カメラ位置が図１１Ａの自分撮りの場合には、カメラ２０はレンズ２１およびこのレンズ２１の前面に配置された広角レンズ２２を通して被写体を広角に撮像してサブ画面１４に表示することができる。また、カメラ２０を反転させて図１１Ｂの相手撮りとした場合には、カメラ２０はレンズ２１の画角に応じた大きさの被写体を撮像することができる。このように、カメラ２０が所定位置この例では自分撮りのときに、広角レンズ等の補助レンズを通してカメラの撮像画角を切り替えることができる。
【００５３】
一般的に自分撮りは片手にカメラ機能付き携帯電話機を持って腕を伸ばし表示画面に表示される自分の映像を確認しながら撮像するという方法であり、カメラと被写体までの焦点距離がある程度の距離に限定され、また、携帯電話機のカメラに使用される標準レンズは通常遠景撮影のため自分撮りのときに被写体全体が表示画面に収まりきらない場合もある。したがって、自分撮りにおいて補助レンズとして広角レンズを用いた場合には、画角を広げ広角に撮像することができるので被写体全体を表示画面に表示することができ大変有効である。
【００５４】
尚、補助レンズとして自分撮りの場合の広角レンズに代えて望遠レンズを用い、図１１Ｂの相手撮りの場合にカメラ２０のレンズ２１前面に望遠レンズを配置し、カメラ２０が望遠レンズを通して被写体を撮像できるようにすることも考えられる。
【００５５】
また、図１１例の携帯電話機に、図４に示すような画角設定手段を設けるようにした場合は、同様に、カメラ位置即ち図１１Ａの自分撮りおよび図１１Ｂの相手撮りの状態に応じて、カメラ２０の撮像画角の初期設定を決定し自動的に切り替えることができる。この場合、図１１Ａの自分撮りのときのカメラ２０の撮像画角はメモリ１１５に設定され保存されている撮像画角と広角レンズ２２による撮像画角とを考慮したものになる。
【００５６】
尚、カメラ２０の回動位置に応じてまたはカメラ２０の回動運動と連動して開閉可能なレンズ保護カバー２３を設けるとよい。また、シャッターボタン１５の押圧によりレンズ保護カバー２３が開閉するようにしてもよい。また、図１０に示すような筐体先端部にカメラを設けるようにした折畳み型携帯電話機やスティックタイプのカメラ付き携帯電話機においても本例の画角設定手段としての補助レンズを適用することができる。
【００５７】
本例によれば、補助レンズを用い、カメラの回動位置に応じてカメラの撮像画角の初期設定を変化させることができるので、カメラの向きを変える毎に利用者が表示画面に表示される被写体の大きさを調整しなければならない煩わしさを解消することができる。
【００５８】
尚、上述したカメラの撮像画角の調整はズームレンズを用いた光学ズームでなく、デジタルズームにより行なうようにしてもよい。
【００５９】
また、本発明は上述した実施の形態の例に限られるものではなく、本発明の要旨を逸脱することなくその他種々の構成を取り得ることは勿論である。
【００６０】
【発明の効果】
斯かる本発明によれば、カメラの回動位置に応じてカメラの撮像画角の初期設定を変化させることができるので、カメラの向きを変える毎に利用者が表示画面に表示される被写体の大きさを調整しなければならない煩わしさを解消することができる。
【図面の簡単な説明】
【図１】本発明の一実施の形態の例の折畳み型携帯電話機の全開状態の外観斜視図である。
【図２】図１の折畳み型携帯電話機のやや開いた状態の外観斜視図である。
【図３】本発明の一実施の形態の例の携帯電話機の回路構成の例を示すブロック線図である。
【図４】本発明の一実施の形態の例の携帯電話機のカメラの周辺の構成を示すブロック線図である。
【図５】本発明の一実施の形態の例の説明に供するフローチャートである。
【図６】本発明の一実施の形態の例の説明に供する線図である。
【図７】本発明の一実施の形態の例の説明に供する線図である。
【図８】本発明の一実施の形態の例の折畳み型携帯電話機の全開状態の側面図である。
【図９】本発明の一実施の形態の例の折畳み型携帯電話機の全閉状態の側面図である。
【図１０】本発明の他の実施の形態の例の折畳み型携帯電話機の全開状態の正面図である。
【図１１】本発明の他の実施の形態の例の携帯電話機の側面図である。
【符号の説明】
１，２０１，３０１・・・・下側筐体、２・・・・操作ボタン群、１０・・・・ヒンジ部、１１，２１１，３１１・・・・上側筐体、１２・・・・メイン画面（表示装置）、１４・・・・サブ画面（表示装置）、１５・・・・シャッターボタン、２０・・・・カメラ、２１・・・・レンズ、２２・・・・広角レンズ、１１０・・・・制御部、１５０・・・・磁石、１５１，１５２・・・・センサ
【図１】
2004274405.tif 000003
【図２】
2004274405.tif 000004
【図３】
2004274405.tif 000005
【図４】
2004274405.tif 000006
【図５】
2004274405.tif 000007
【図６】
2004274405.tif 000008
【図７】
2004274405.tif 000009
【図８】
2004274405.tif 000010
【図９】
2004274405.tif 000011
【図１０】
2004274405.tif 000012
【図１１】
2004274405.tif 000013